【手続補正書】
【提出日】平成16年4月26日(2004.4.26)
【手続補正１】
【補正対象書類名】明細書
【補正対象項目名】発明の名称
【補正方法】変更
【補正の内容】
【発明の名称】リミッタ機構及び該機構を備えた記録及び／又は再生装置
【手続補正２】
【補正対象書類名】明細書
【補正対象項目名】特許請求の範囲
【補正方法】変更
【補正の内容】
【特許請求の範囲】
【請求項１】
変位部材の機能部が一方向へ移動して主機能を果たし、該機能部が上記一の方向とは別の方向である他の方向へ移動してリミッタ機能を果たすリミッタ機構であって、
上記変位部材が弾性材料によって形成され、
該材料の有する弾性変形によって上記機能部が上記２つの方向へ移動可能である
ことを特徴とするリミッタ機構。
【請求項２】
機能部が一の部材と他の部材との間に介在されて一の部材の移動を他の部材に伝達する伝達部であり、
機能部が上記２つの部材の移動方向に交差する方向に移動してリミッタ機能を果たす
ことを特徴とする請求項１に記載のリミッタ機構。
【請求項３】
変位部材が線バネ材料によって形成されている
ことを特徴とする請求項１に記載のリミッタ機構。
【請求項４】
変位部材が線バネ材料によって形成されている
ことを特徴とする請求項２に記載のリミッタ機構。
【請求項５】
変位部材の機能部が一方向へ移動して主機能を果たし、該機能部が上記一の方向とは別の方向である他の方向へ移動してリミッタ機能を果たすリミッタ機構であって、
上記変位部材が弾性材料によって形成され、
該材料の有する弾性変形によって上記機能部が上記２つの方向へ移動可能であるリミッタ機構を備えた記録及び／又は再生装置。
【手続補正３】
【補正対象書類名】明細書
【補正対象項目名】００２０
【補正方法】変更
【補正の内容】
【００２０】
【課題を解決するための手段】
本発明リミッタ機構は、上記した課題を解決するために、変位部材の機能部が一の方向へ移動して主機能を果たし、該機能部が上記一の方向とは別の方向である他の方向へ移動してリミッタ機能を果たすリミッタ機構であって、上記変位部材を弾性材料によって形成し、該材料の有する弾性変形によって上記機能部が上記２つの方向へ移動可能であるようにしたものである。そして、本発明記録及び／又は再生装置は、このようなリミッタ機構を備えたものである。
【手続補正４】
【補正対象書類名】明細書
【補正対象項目名】００２１
【補正方法】変更
【補正の内容】
【００２１】
従って、本発明リミッタ機構及び該機構を備えた記録及び／又は再生装置にあっては、変位部材の他に構成部材を必要としない。


【手続補正５】
【補正対象書類名】明細書
【補正対象項目名】００２２
【補正方法】変更
【補正の内容】
【００２２】
【発明の実施の形態】
以下に、本発明リミッタ機構及び該機構を備えた記録及び／又は再生装置の実施の形態を添付図面を参照して説明する。


【手続補正６】
【補正対象書類名】明細書
【補正対象項目名】０１１７
【補正方法】変更
【補正の内容】
【０１１７】
【発明の効果】
以上に記載したところから明らかなように、本発明リミッタ機構及び該機構を備えた記録及び／又は再生装置は、変位部材の機能部が一の方向へ移動して主機能を果たし、該機能部が上記一の方向とは別の方向である他の方向へ移動してリミッタ機能を果たすものであって、上記変位部材が弾性材料によって形成され、該材料の有する弾性変形によって上記機能部が上記２つの方向へ移動可能であることを特徴とする。


【手続補正７】
【補正対象書類名】明細書
【補正対象項目名】０１１８
【補正方法】変更
【補正の内容】
【０１１８】
従って、本発明リミッタ機構及び該機構を備えた記録及び／又は再生装置にあっては、変位部材の他に構成部材を必要としない。そのため構成部品の点数が少なくて済み、そのため組立工数も少なくなる。依って、コストを低減することが出来る。


【手続補正８】
【補正対象書類名】明細書
【補正対象項目名】図面の簡単な説明
【補正方法】変更
【補正の内容】
【図面の簡単な説明】
【図１】図２乃至図３６と共に本発明リミッタ機構及び該機構を備えた記録及び／又は再生装置を記録再生装置におけるリミッタ機構に適用した実施の形態を示すものであり、本図は記録再生装置の外観を示す斜視図である。
【図２】メカシャーシ及びカートリッジホルダの停止モード時における概略平面図である。
【図３】メカシャーシ及びカートリッジホルダの記録モード時における概略平面図である。
【図４】メカシャーシ及びカートリッジホルダのイジェクト状態を示す概略右側面図である。
【図５】メカシャーシ及びカートリッジホルダの記録モード時における概略右側面図である。
【図６】メカシャーシ及びカートリッジホルダのイジェクト状態を示す概略左側面図である。
【図７】メカシャーシ及びカートリッジホルダの記録モード時における概略左側面図である。
【図８】停止モード時における磁気ヘッド昇降スライダと光学ピックアップを示す概略平面図である。
【図９】記録モード時における磁気ヘッド昇降スライダと光学ピックアップを示す概略平面図である。
【図１０】イジェクト時における磁気ヘッド昇降機構を示す概略左側面図である。
【図１１】停止モードにおける磁気ヘッド昇降機構を示す概略左側面図である。
【図１２】記録モードにおける磁気ヘッド昇降機構を示す概略左側面図である。
【図１３】ディスクカートリッジをカートリッジホルダから排出する部材をロックする機構及び該ロックを解除する機構を示す斜視図である。
【図１４】図１５乃至図２２と共にディスクカートリッジがカートリッジホルダに保持されて装着位置に装着され、さらに、カートリッジホルダから排出されるまでの動作を示す要部の右側面図であり、本図はディスクカートリッジがカートリッジホルダに挿入され始めた状態を示すものである。
【図１５】図１４の状態からディスクカートリッジがさらにカートリッジホルダに挿入された状態を示すものである。
【図１６】完全に挿入され、ディスクカートリッジをカートリッジホルダから排出する部材であるリリーススライダがロックされた状態を示すものである。
【図１７】カートリッジホルダがイジェクト位置から装着位置へと回動して行く途中の状態を示すものである。
【図１８】図１７の状態から更に装着位置に近づいた状態を示すものである。
【図１９】装着位置に達した状態を示すものである。
【図２０】カートリッジホルダがイジェクト位置へ向けて移動を開始し、リリーススライダに対するロックが解除された瞬間を示すものである。
【図２１】図２０の状態に続いてリリーススライダが前方に移動した状態を示すものである。
【図２２】イジェクト位置に到達した状態を示すものである。
【図２３】上カバーを閉蓋位置にロックする機構を示す要部の分解斜視図である。
【図２４】上カバーを閉蓋位置にロックする機構を示す要部の正面図である。
【図２５】上カバーが閉蓋位置へ移動する途中の状態を示す要部の正面図である。
【図２６】上カバーに対する閉蓋位置へのロックが解除された状態を示す要部の正面図である。
【図２７】図２８乃至図３０と共にイジェクト伝達部材と磁気ヘッド昇降スライダの要部を示す平面図であり、本図は停止モードにおける状態を示すものである。
【図２８】イジェクト伝達部材がイジェクトスライダの動きをロックスライダに伝達している状態を示すものである。
【図２９】記録モードにおける状態を示すものである。
【図３０】イジェクト伝達部材がリミッタ機能を果たしている状態を示すものである。
【図３１】磁気ヘッド昇降スライダに取り付けられる前のイジェクト伝達部材を示す平面図である。
【図３２】イジェクト伝達部材の変形例を示す平面図である。
【図３３】イジェクト伝達部材の別の変形例を示す平面図である。
【図３４】イジェクト伝達部材のさらに別の変形例を示す平面図である。
【図３５】上ケースの要部とスイッチユニットを示す分解斜視図である。
【図３６】上ケースの要部とスイッチユニットを示す断面図である。
【図３７】上記記録再生装置において使用される記録及び再生用ディスクカートリッジを上方から見た斜視図である。
【図３８】上記記録再生装置において使用される記録及び再生用ディスクカートリッジを下方から見た斜視図である。
【図３９】図４０及び図４１と共に従来のリミッタ機構を示す平面図であり、本図は初期状態を示す図である。
【図４０】伝達部が作用した状態を示す図である。
【図４１】リミッタ機能を果たした状態を示す図である。
【符号の説明】
１…記録再生装置、１９０…ロックスライダ（他の部材）、２１０…イジェクトスライダ（一の部材）、２２０…イジェクト伝達部材（変位部材）、２２３…伝達部（機能部）